(57)【要約】【課題】給電ケーブル３８付きのＡＣアダプタ３９を充電用スタンド装置３５や、それを外付けした多機能装置とまとめて持ち運びできるようにして、組み立て作業や梱包作業に手間取らないようにする。【解決手段】充電用スタンド装置３５における縦板状の支持体３６の表面側に、コードレス式のハンドセット３４を縦置きして充電するための充電用置き台３７の置き台支持部４１と、給電ケーブル３８付きのＡＣアダプタ３９を仮置きできる仮載置部４０を一体的に設けた。また、仮載置部４０には、ＡＣアダプタ３９におけるプラグ３９ａを差し込んで位置ずれを防止するための位置保持手段としてのプラグ挿入孔５２（５４）が備えられているので、充電用スタンド装置３５を持ち運びしたり、組み立て作業や梱包作業する場合に、ＡＣアダプタ３９が不用意に脱落することがなく、製品管理、梱包作業が容易となる。【選択図】図４
2007299678.tif 000002
【特許請求の範囲】
【請求項１】
コードレス式ハンドセットを置くための充電用置き台と、支持体と、前記充電用置き台のための給電ケーブル付きのＡＣアダプタを仮載置するための仮載置部とを備えたことを特徴とするコードレス式ハンドセットの充電用スタンド装置。
【請求項２】
前記仮載置部には、前記ＡＣアダプタにおけるプラグを差し込んで位置ずれを防止するための位置保持手段が備えられていることを特徴とする請求項１に記載のコードレス式ハンドセットの充電用スタンド装置。
【請求項３】
前記給電ケーブルの中途部を係止するためのケーブル係止部が前記支持体に設けられていることを特徴とする請求項１または２に記載のコードレス式ハンドセットの充電用スタンド装置。
【請求項４】
前記支持体は電子機器の本体ケースに対して外付け可能に構成され、前記支持体には、前記充電用置き台と前記仮載置部とが隣接して形成されていることを特徴とする請求項１乃至３のいずれかに記載のコードレス式ハンドセットの充電用スタンド装置。
【請求項５】
前記支持体における縦板部に前記ケーブル係止部が形成され、前記充電用置き台は前記支持体における水平状の置き台支持部に対して着脱可能に連結されていることを特徴とする請求項１乃至４のいずれかに記載のコードレス式ハンドセットの充電用スタンド装置。
【請求項６】
請求項１乃至５のいずれかに記載のコードレス式ハンドセットの充電用スタンド装置が外付けされ、電話機能以外の他の機能を備えていることを特徴とする多機能装置。
【発明の詳細な説明】
【技術分野】
【０００１】
本発明は、コードレス式電話機（ハンドセット）と電話機能以外の他の機能を備えた多機能装置の本体ケースに外付けするコードレス式ハンドセットの充電用スタンド装置の構造に関するものである。
【背景技術】
【０００２】
従来から、コードレス式の電話機（ハンドセット）に充電するための充電用スタンド装置には、給電ケーブル付きのＡＣアダプタが分離不能もしくは分離可能に連結されていた（特許文献１参照）。
【０００３】
他方、特許文献２に開示されているように、ファクシミリ装置等の無線通信装置やファクシミリ機能などを備えた多機能装置における本体ケースにコードレス式の電話機（ハンドセット）を外付けとして装着することが行われている。
【０００４】
このような装置を工場からの出荷に際して段ボール箱に梱包するとき、１つの段ボール箱内を仕切ってなる別個の収納部に上記給電ケーブル付きのＡＣアダプタのみを収容することが行われたり、電子機器であるオーディオプレーヤにおける給電ケーブル付きのＡＣアダプタを別途の段ボール紙製の折り畳み可能な収納部材に包んで、オーディオプレーヤを入れる梱包箱本体の片隅にセットしたりするなどの作業が行われていた（特許文献３参照）。
【特許文献１】特開２０００−２６０４８４号公報
【特許文献２】特開平１１−３４１２０２号公報
【特許文献３】特開２００２−２４０８５９号公報
【発明の開示】
【発明が解決しようとする課題】
【０００５】
しかしながら、特許文献３の構成では、ＡＣアダプタの給電ケーブルを電子装置本体に対して着脱可能にするため、給電ケーブルの先端に別途接続用ジャックを設けなければならず、必然的に部品点数が多くなる。これに加えて、梱包を解いたユーザが装置を使用可能にするためには、上記接続用ジャックを充電用スタンド装置に連結する手間を要するから面倒であった。更には、使用中（充電中）に不用意に接続用ジャックが充電用スタンド装置から離脱するおそれもあった。一方、使用説明書には、接続用ジャックを充電用スタンド装置に連結するための作業手順を示す項目を設けなければならず、コスト高となる。
【０００６】
他方、充電用スタンド装置にＡＣアダプタの給電ケーブルを外れないように連結した構成のものでは、これらを工場内で組み立てる作業や梱包する作業に際して、充電用スタンド装置とＡＣアダプタとその給電ケーブルとを一緒にまとめて持ち運ばせる必要があり、また梱包箱に１箇所にまとめて入れたりする必要がある。その場合、可撓性を有する給電ケーブルで連結されたＡＣアダプタが作業者の手から落ち易く、上記のまとめて持ち運びする作業に手間取るなどの問題があった。
【０００７】
本発明は、上記従来技術の問題点を解決するものであって、簡単な構成でもって、給電ケーブル付きのＡＣアダプタを充電用スタンド装置や、それを外付けした多機能装置とまとめて持ち運びできるようにして、組み立て作業や梱包作業に手間取らないようにすることを目的とするものである。
【課題を解決するための手段】
【０００８】
上記目的を達成するため、請求項１に記載の発明のコードレス式ハンドセットの充電用スタンド装置は、コードレス式ハンドセットを置くための充電用置き台と、支持体と、前記充電用置き台のための給電ケーブル付きのＡＣアダプタを仮載置するための仮載置部とを備えたものである。
【０００９】
請求項２に記載の発明は、請求項１に記載のコードレス式ハンドセットの充電用スタンド装置において、前記仮載置部には、前記ＡＣアダプタにおけるプラグを差し込んで位置ずれを防止するための位置保持手段が備えられているものである。
【００１０】
請求項３に記載の発明は、請求項１または２に記載のコードレス式ハンドセットの充電用スタンド装置において、前記給電ケーブルの中途部を係止するためのケーブル係止部が前記支持体に設けられているものである。
【００１１】
請求項４に記載の発明は、請求項１乃至３のいずれかに記載のコードレス式ハンドセットの充電用スタンド装置において、前記支持体には、前記充電用置き台と前記仮載置部とが隣接して形成されているものである。
【００１２】
請求項５に記載の発明は、請求項１乃至４のいずれかに記載のコードレス式ハンドセットの充電用スタンド装置において、前記支持体は電子機器の本体ケースに対して外付け可能に構成され、前記支持体における縦板部に前記ケーブル係止部が形成され、前記充電用置き台は前記支持体における水平状の置き台支持部に対して着脱可能に連結されているものである。
【００１３】
請求項６に記載の発明は、請求項１乃至５のいずれかに記載のコードレス式ハンドセットの充電用スタンド装置が外付けされ、電話機能以外の他の機能を備えていることを特徴とする多機能装置である。
【発明の効果】
【００１４】
請求項１に記載の発明の構成によれば、給電ケーブル付きのＡＣアダプタを充電用スタンド装置における仮載置部に仮置きできるから、ＡＣアダプタを別途取り扱うことなく、ＡＣアダプタを予め給電ケーブルで充電用スタンド装置に連結（接続）した状態で、運搬したり、梱包したりする作業ができる。従って、コードレス式のハンドセットに充電することに関連した複数の部品を予め接続（連結）して１つのユニットとして取り扱いすることができ、これらの部品、ユニットの組み立て作業や製品管理、梱包作業が容易となるという効果を奏する。
【００１５】
また、充電用スタンド装置を外付けした電子機器（多機能装置）とまとめて持ち運びできるようにして、組み立て作業や梱包作業に手間取らないようにできるという効果を奏する。
【００１６】
請求項２に記載の発明によれば、前記仮載置部には、前記ＡＣアダプタにおけるプラグを差し込んで位置ずれを防止するための位置保持手段が備えられているものであるので、充電用スタンド装置を持ち運びしたり、組み立て作業や梱包作業する場合に、ＡＣアダプタが不用意に脱落することがなく、取り扱いが極めて容易になるという効果を奏する。
【００１７】
請求項３に記載の発明によれば、ＡＣアダプタに連結した給電ケーブルの中途部を係止するためのケーブル係止部が前記支持体に設けられているものであるので、この給電ケーブルの取り扱いが容易になるという効果を奏する。
【００１８】
請求項４に記載の発明によれば、前記支持体には、前記充電用置き台と前記仮載置部とが隣接して形成されているものであるので、充電用スタンド装置がコンパクトになる。
【００１９】
請求項５に記載の発明によれば、前記支持体は電子機器の本体ケースに対して外付け可能に構成され、前記支持体における縦板部に前記ケーブル係止部が形成され、前記充電用置き台は前記支持体における水平状の置き台支持部に対して着脱可能に連結されているものであるので、コードレス式ハンドセットを充電用置き台に置いたものを支持体から外して、電子機器の本体ケースから離れた箇所に置くことも可能となり、充電用スタンド装置の設置位置、ひいてはコードレス式ハンドセットの設置（通話使用位置）の設定が広範囲に選択できる。
【００２０】
請求項６に記載の発明によれば、請求項１乃至５のいずれかに記載のコードレス式ハンドセットの充電用スタンド装置が外付けされ、電話機能以外の他の機能を備えていることを特徴とする多機能装置であるので、多機能装置の組み立て作業や梱包作業に手間取らないようにできるという効果を奏する。
【発明を実施するための最良の形態】
【００２１】
以下、適宜図面が参照されつつ、好ましい実施形態に基づいて本発明が詳細に説明される。
【００２２】
図１は本発明の一実施形態に係る多機能装置の外観斜視図、図２はコードレス式ハンドセットの第１実施形態の充電用スタンド装置を装着した状態を示す多機能装置の外観斜視図、図３は記録部の要部側断面図、図４は第１実施形態の充電用スタンド装置の平面図、図５は第１実施形態の充電用スタンド装置の裏面側から見た斜視図、図６は本体ケース側の取付部を示す図、図７は第１実施形態の充電用スタンド装置を分解した斜視図、図８はコードレス式ハンドセットの第２実施形態の充電用スタンド装置を装着した状態を示す多機能装置の外観斜視図、図９は第２実施形態の充電用スタンド装置の平面図、図１０は第２実施形態の充電用スタンド装置を分解した斜視図である。
【００２３】
本実施形態は、プリンタ機能、コピー機能、スキャナ機能、ファクシミリ機能及びコードレス電話機能を備えた多機能装置１（ＭＦＤ：Multi Function Device ）に本発明を適用したものである。多機能装置１は、図示されていないコンピュータや電話通信網に接続可能であり、このコンピュータや他のファクシミリ装置から送信された画像データや文書データに基づいて、被記録媒体の一例としての記録用紙に画像や文書を記録することができる。また、多機能装置１は、デジタルカメラ等の外部機器と接続されてデジタルカメラから出力される画像データを記録用紙に記録することができる（図１参照）。
【００２４】
本実施形態では、図１に示すように、合成樹脂製の本体ケース（ハウジング）２の下部にプリンタ部（記録部）７が備えられている。そして、本体ケース２の底部のカセット収納部（収納空間）に対して、本体ケース２の前側に開口された挿入口２ａから挿抜可能（実質上水平方向に出し入れ可能）な給紙カセット３が配置されている。以下、合成樹脂製の本体ケース２の挿入口２ａがある側を前側または前方といい、これを基準に装置の前側、左右側、後側（奥側）という。本体ケース２の前面部にはスロット部６が備えられ、このスロット部６にメモリカード等の各種記憶媒体が装填されることによって当該記憶媒体に記憶された画像データ等を記録用紙に記録することも可能である。
【００２５】
本体ケース２の上部には、コピー機能やファクシミリ機能における原稿読取などのための画像読取装置（スキャナ部）１２が画像読取部ケース１２ａ内に配置されている。そして本体ケース２は、後述する記録部７や給紙カセット３、インクカートリッジの収納部１５を収容した合成樹脂製等の内枠体２０（図６に一部図示）の外側を覆う外装カバー体としての機能も有している。
【００２６】
本体ケース２の上側には、画像読取装置１２の前方に各種操作ボタンや液晶表示部等を備えた操作パネル部１４が設けられており、画像読取装置１２と操作パネル部１４との平面視投影面積内に、記録部７と排紙部１０などが配置される。この排紙部１０の一側（図１で右側）であって、本体ケース２の前部側に、インクカートリッジの収納装置１５（図１参照）が内蔵されている。そして、本体ケース２の前部側に下端を蝶番を介して上下回動して開閉する蓋体２ｂにて収納装置１５の前面側が覆われている。
【００２７】
画像読取装置１２の上面には、原稿を載置することができる載置用ガラス板（図示せず）が設けられ、その下側に原稿読取り用のイメージスキャナ装置（ＣＩＳ：Contact Image Sensor（図示せず））が図３の紙面と直交する方向（主走査方向、以下、Ｘ軸方向といい、主走査方向に延びる軸をＸ軸という）に往復移動可能に設けられている。
【００２８】
上記載置用ガラス板を覆う原稿カバー体１３はその後端部（図１で左奥側）が図示しない蝶番を介して画像読取部ケース１２ａに対して開閉回動自在に取り付けられている。
【００２９】
本実施形態では、図３に示すように、給紙カセット３は、被記録媒体としての例えばＡ４サイズ、レターサイズ、リーガルサイズ、はがきサイズ等にカットされた用紙Ｐをその短辺が用紙搬送方向（副走査方向、以下、Ｙ軸方向という）と直交する方向（図３において紙面と直交する方向、主走査方向、Ｘ軸方向）に延びるようにして複数枚積層（堆積）されて収納できる形態とする。給紙カセット３の上部には、小サイズの用紙（図示せず）を複数枚堆積させて供給する補助カセット３ａがＹ軸方向に移動可能に装着されている。
【００３０】
給紙カセット３の奥側（図３において右側）には、用紙分離用の傾斜分離板８が配置されている。他方、本体ケース２側には、上端部に回動軸を備え、この回動軸を中心として上下方向に回動可能なアーム６ａが装着されている。このアーム６ａの下端部に設けられた給紙ローラ６と、傾斜分離板８とが協働することにより、給紙カセット３及び補助給紙カセット３ａに堆積された被記録媒体である用紙Ｐが一枚ずつ分離搬送される。分離された用紙Ｐは上横向きのＵターンパス（給送路）９を介して給紙カセット３より後方の上側（高い位置）に設けられた記録部７に給送される。記録部７は、プリンタ機能などを実現するためのインクジェット式の記録ヘッド４が搭載された往復動可能なキャリッジ５等からなる。
【００３１】
記録部７にて記録された用紙Ｐがその記録面を上向きにして排出される排紙部１０は、補助給紙カセット３ａの上側に形成されており、排紙部１０に連通する排紙口１０ａ（挿入口２ａの上方、図１参照）が本体ケース２の前面に向かって開口されている。
【００３２】
記録部７は、図３に示すように、上面開放された枠状のメインフレーム２１における左右一対の側板（図示せず）にて支持され、Ｘ軸方向（主走査方向）に延びる横長の板状（プレート状）の第１ガイド部材２２、第２ガイド部材２３と、これら両ガイド部材２２、２３に跨がって摺動自在に支持（搭載）されて往復移動可能に構成されたキャリッジ５と、記録ヘッド４が搭載されたキャリッジ５を往復移動させるために第２ガイド部材２３の上面にそれと平行状にて、プーリに巻回配置された無端ベルトとしてのタイミングベルトと（図示せず）、そのタイミングベルトを駆動するＣＲ（キャリッジ）モータ（実施形態ではＤＣモータであるが、ステッピングモータ等他のモータでもよい。図示せず）と、記録ヘッド４の下面側にて搬送される用紙Ｐを支持する板状のプラテン２６と、主走査方向に沿って延びるように配置されてキャリッジ５のＸ軸方向（主走査方向）の位置とその方向の移動速度を検知するための光学式リニアエンコーダの構成部品であるエンコーダストリップ（図示せず）等を備える。なお、プラテン２６上で用紙Ｐが通過する方向での用紙搬送方向（矢印Ａ方向、図３参照）の上流側に、第１ガイド部材２２が配置され、下流側に第２ガイド部材２３が配置されることになる。
【００３３】
また、プラテン２６を挟んで搬送上流側にレジストローラ対２７が配置されている。このレジストローラ対２７は用紙Ｐを記録ヘッド４の下面のノズル面とプラテン２６との隙間に搬送する。プラテン２６の下流側には、用紙Ｐの上面に接する拍車２８ｂと下面側の駆動する排紙ローラ２８ａとが配置されている。この排紙ローラ２８ａと拍車２８ｂとは記録済みの用紙Ｐを排紙部１０へと搬送する。
【００３４】
次に、図４〜図７を参照しながら、本発明に係るコードレス式のハンドセット３４の充電用スタンド装置３５の構成及び多機能装置１に対する取付け構造などについて説明する。
【００３５】
多機能装置１から離れた位置で通話可能なコードレス式のハンドセット３４に対して、多機能装置１に装着されたロッドアンテナ３０は、図１に示されているように、丸軸状のロッド部３０ａと、このロッド部３０ａの下端が連結された側面視Ｌ型の取付基部３２とからなり、取付基部３２が本体ケース２の縦板部（一方の側板）に対して円形環状の座体３３を介して装着されている。
【００３６】
そして、ロッド部３０ａと本体ケース２内に配置された無線通信用基板（図示せず）とが配線ケーブル（図示せず）にて接続されている。無線通信用基板は、電話回線などの通信網を介して他の電話装置やファクシミリ装置との間で会話（信号）やファクシミリデータの送受信を可能にするためのＮＣＵ（ネットワークコントロールユニット）基板である。
【００３７】
図２に示すように、実施形態におけるコードレス式のハンドセット３４は、送話部（図示せず）、受話部３４ａ、押しボタン操作部３４ｂ、及び液晶パネルなどの表示部３４ｃを備えている。また、図示しないが、ハンドセット３４の合成樹脂製ケースの下面側には充電用接片（図示せず）を備えている。
【００３８】
図２、図４、図５及び図７に示すように、第１実施形態の充電用スタンド装置３５は、多機能装置１の本体ケース２に外付けするための支持体３６と、ハンドセット３４を縦置きして支持した状態で充電するための充電用置き台３７と、この充電用置き台３７に給電ケーブル３８を介して接続（連結）された充電用のＡＣアダプタ３９と、このＡＣアダプタ３９を仮置き（仮載置）するための仮載置部４０とを備えている。
【００３９】
第１実施形態では、本体ケース２の一方の側板２ｃの前後方向に長く沿う縦板状の支持体３６の前後方向の中途部には、補強リブ４２が設けられ、この補強リブ４２を挟んで前寄り部位には、充電用置き台３７を着脱可能に載置するための置き台支持部４１が実質上水平に突出され、補強リブ４２の後側には、仮載置部４０が実質上水平に突出されている。これら支持体３６と補強リブ４２と置き台支持部４１と仮載置部４０とは、ＡＢＳ樹脂などの樹脂射出成形により一体的に形成されている。
【００４０】
充電用置き台３７は図７に示すごとく、立てた状態のハンドセット３４の下部が嵌まり得る凹状のスタンド嵌合部４３を有する。スタンド嵌合部４３内の底部などには給電用接片４４が設けられている（図７参照）ので、当該スタンド嵌合部４３内に嵌め入れられたハンドセット３４の下面に設けられた充電用接片（図示せず）に上記給電用接片４４が接当することにより充電可能となる。
【００４１】
第１実施形態では、図７に示されているように、置き台支持部４１の上面には、充電用置き台３７を載置したときの位置決めするための複数の突起部４５ａ〜４５ｄが上向きに突出しており、また、補強リブ４２には置き台支持部４１側の上面に載置した充電用置き台３７が不用意に外れないようにする係合爪４６が設けられている。さらに、補強リブ４２には置き台支持部４１側から仮載置部４０側に連通する上向き開放状の挿通溝４７が形成されているので、この挿通溝４７に給電ケーブル３８を通すことができる（図４参照）。
【００４２】
支持体３６の縦板部の表面のうち、仮載置部４０に近い側には、給電ケーブル３８の中途部を係止するための一対の上向きフック部４８ａとこの一対の上向きフック部４８ａの間で下向きのフック部４８ｂとからなるケーブル係止部４８が形成されている（図４及び図７参照）。さらに、支持体３６の縦板部の裏面には、上部位置に左右一対の上向き鉤状の係止爪４９ａが、下部位置には左右一対の下向き鉤状の係止爪４９ｂが一体的に形成されている（図４及び図５参照）。この合計４つの上下の係止爪４９ａ，４９ｂを本体ケース２の内側に位置する内枠体２０の側板２０ａに穿設された４つの係止孔５１のうち大径部５１ａに嵌め入れた後、横方向に支持体３６をスライドさせることにより、各係止孔５１の細幅部５１ｂに位置した各係止爪４９ａ，４９ｂは不用意な外れを防止できるのである。
【００４３】
上記の構成により、上述のように本体ケース２の側板２ｃに支持体３６を沿わせた状態で、上下の係止爪４９ａ，４９ｂを係止孔５１に嵌め入れて係止させる。そして、置き台支持部４１上に充電用置き台３７を載置固定する。次いで、給電ケーブル３８の中途部を挿通溝４７に通した後、支持体３６表面側のケーブル係止部４８に保持させる。この状態でＡＣアダプタ３９は、そのプラグ３９ａの部分を横にした姿勢で、仮載置部４０に仮置きする。また、給電ケーブル３８の長い中途部も折り畳んでバインダ（図示せず）にて束ねて仮載置部４０に置く。このようにすると、その後は、ＡＣアダプタ３９を別途取り扱うことなく、多機能装置１と一体的に移動させたり、図示しない梱包箱へ挿入したりする作業を簡単に実行することができるのである。なお、変形例として、前記仮載置部４０に、ＡＣアダプタ３９における一対のプラグ３９ａを差し込むことができるプラグ挿入孔５２（図４参照）（請求項の位置保持手段に相当）を設けておけば、多機能装置１を多少傾けても、仮載置部４０に仮置きしたＡＣアダプタ３９が仮載置部４０から不用意に脱落することがないという効果を奏する。
【００４４】
図８〜図１０に示す充電用スタンド装置３５の第２実施形態では、仮載置部５３が縦板状の支持体３６の表面側であって、補強リブ４２に隣接した位置で下に行くに従って、支持体３６の表面から離間する傾斜状に形成されており、且つこの仮載置部５３には、ＡＣアダプタ３９における一対のプラグ３９ａを差し込むことができるプラグ挿入孔５４が穿設されているものである。その他の構成は、第１実施形態と同じであるので、同じ構成（部品）については同じ符号を付して詳細な説明は省略する。
【００４５】
第２実施形態における仮載置部５３を傾斜状に形成することにより、縦板状の支持体３６の表面から突出する寸法が短くなり、充電用スタンド装置３５を一層コンパクトにすることができると共に、ＡＣアダプタ３９における一対のプラグ３９ａがプラグ挿入孔５４に差し込まれることにより、不用意にＡＣアダプタ３９が脱落することも防止でき、取り扱いが容易になる。
【００４６】
上述のように、給電ケーブル３８付きのＡＣアダプタ３９を充電用スタンド装置３５における仮載置部４０に仮置きできるから、ＡＣアダプタを別途取り扱うことなく、ＡＣアダプタ３９を予め給電ケーブル３８で充電用スタンド装置３５に連結（接続）した状態で、運搬したり、梱包したりする作業ができる。従って、コードレス式のハンドセット３４に充電することに関連した複数の部品を予め接続（連結）して１つのユニットとして取り扱いすることができ、これらの部品、ユニットの組み立て作業や製品管理、梱包作業が容易となるという効果を奏する。
【００４７】
また、充電用スタンド装置３５を外付けした電子機器（多機能装置１）とまとめて持ち運びできるようにして、組み立て作業や梱包作業に手間取らないようにできるという効果を奏する。
【００４８】
仮載置部４０（５３）には、ＡＣアダプタ３９におけるプラグ３９ａを差し込んで位置ずれを防止するための位置保持手段としてのプラグ挿入孔５２（５４）が備えられているものであるので、充電用スタンド装置３５を持ち運んだり、組み立て作業や梱包作業する場合に、ＡＣアダプタ３９が不用意に脱落したりすることがなく、取り扱いが極めて容易になるという効果を奏する。
【００４９】
ＡＣアダプタ３９に連結した給電ケーブル３８の中途部を係止するためのケーブル係止部４８が支持体に設けられているものであるので、この給電ケーブルの取り扱いが容易になるという効果を奏する。
【００５０】
支持体３６に、充電用置き台３７と仮載置部４０（５３）とが隣接して一体的に形成されていれば、充電用スタンド装置が一層コンパクトになる。
【００５１】
支持体３６は電子機器の本体ケース２に対して外付け可能に構成され、支持体３６における縦板部にケーブル係止部４８が形成され、充電用置き台３７は支持体３６における水平状の置き台支持部４１に対して着脱可能に連結されている構成では、コードレス式ハンドセット３４を充電用置き台３７に置いたものを支持体３６から外して、電子機器の本体ケース２から離れた箇所に置くことも可能となり、充電用スタンド装置３５の設置位置、ひいてはコードレス式ハンドセットの設置（通話使用位置）の設定が広範囲に選択できる。
【００５２】
コードレス式ハンドセット３４の充電用スタンド装置３５が外付けされる電子機器は、電話機能以外の他の機能を備えていることを特徴とする多機能装置であるので、多機能装置の組み立て作業や梱包作業に手間取らないようにできるという効果を奏する。
【００５３】
本発明は、支持体３６に充電用置き台３７を一体的に形成したものであっても良い。なお、上記本実施形態の電話機能を有する多機能装置の他、無線信号（電波）を送信また受信する電気製品、例えば、ワイヤレス（コードレス）の子機を有する親子電話機における親機にも適用できることはいうまでもない。
【図面の簡単な説明】
【００５４】
【図１】本発明の一実施形態に係る多機能装置の外観斜視図である。
【図２】第１実施形態の充電用スタンド装置の取付側から見た多機能装置の外観斜視図である。
【図３】記録部の要部側断面図である。
【図４】第１実施形態の充電用スタンド装置の平面図である。
【図５】充電用スタンド装置を裏面側から見た斜視図である。
【図６】内枠体の充電用スタンド装置の取付部を示す図である。
【図７】第１実施形態の充電用スタンド装置の分解斜視図である。
【図８】第２実施形態の充電用スタンド装置の取付側から見た多機能装置の外観斜視図である。
【図９】第２実施形態の充電用スタンド装置の平面図である。
【図１０】第２実施形態の充電用スタンド装置の分解斜視図である。
【符号の説明】
【００５５】
１    多機能装置
２    本体ケース
２ｃ  側板
３０    ロッドアンテナ
３４    ハンドセット
３５    充電用スタンド装置
３６    支持体
３７    充電用置き台
３８    給電ケーブル
３９    ＡＣアダプタ
３９ａ    プラグ
４０、５３    仮載置部
４１    置き台支持部
４２    補強リブ
４３    スタンド嵌合部
４８    ケーブル係止部
５２、５４  プラグ挿入孔
【図１】
2007299678.tif 000003
【図２】
2007299678.tif 000004
【図３】
2007299678.tif 000005
【図４】
2007299678.tif 000006
【図５】
2007299678.tif 000007
【図６】
2007299678.tif 000008
【図７】
2007299678.tif 000009
【図８】
2007299678.tif 000010
【図９】
2007299678.tif 000011
【図１０】
2007299678.tif 000012